(57)【要約】【課題】構造がシンプルで、腰部の運動効果を向上させることができ、水中において使用しやすい運動補助具を提供する。【解決手段】運動補助具１は、使用者が着座する座面と、略球面状の底面３とを備えた本体部１０を有している。本体部１０は、その内部に空洞を有するとともに空洞を外部に連通させる複数の連通穴１６を有している。座面またはその周囲には、使用者の臀部あるいは股部の形状の少なくとも一部に沿うように隆起させた隆起部２０、２１が形成されている。底面３には、水中において接触する床面との間の滑りを抑制する滑り止め部４が設けられている。本体部１０は、滑り止め部４を床面に接触させた状態で、全方向に傾動可能に構成されている。【選択図】図１
2014124445.tif 000002
【特許請求の範囲】
【請求項１】
水中に沈めた状態で使用可能な運動補助具であって、
使用者が着座する座面と、略球面状の底面とを備えた本体部を有し、
該本体部は、その内部に空洞を有するとともに該空洞を外部に連通させる複数の連通穴を有し、
上記座面またはその周囲には、使用者の臀部あるいは股部の形状の少なくとも一部に沿うように隆起させた隆起部が形成されており、
上記底面には、水中において接触する床面との間の滑りを抑制する滑り止め部が設けられており、
上記本体部は、上記滑り止め部を上記床面に接触させた状態で、全方向に傾動可能に構成されていることを特徴とする運動補助具。
【請求項２】
請求項１に記載の運動補助具において、少なくとも上記座面の前方中央部には、その周囲よりも隆起した前方隆起部が設けられていることを特徴とする運動補助具。
【請求項３】
請求項１または２に記載の運動補助具において、少なくとも上記座面の両側縁部には、その内側よりも隆起した側方隆起部が設けられていることを特徴とする運動補助具。
【請求項４】
請求項１〜３のいずれか１項に記載の運動補助具において、上記連通穴は、少なくとも上記滑り止め部またはその近傍に設けられていることを特徴とする運動補助具。
【請求項５】
請求項１〜４のいずれか１項に記載の運動補助具において、上記滑り止め部は、上記底面に配設された滑り止め部材を備えており、該滑り止め部材は、表面から突出した多数の凸部を有していることを特徴とする運動補助具。
【請求項６】
請求項５に記載の運動補助具において、上記滑り止め部材は、エラストマーによって形成されていることを特徴とする運動補助具。
【請求項７】
請求項１〜６のいずれか１項に記載の運動補助具において、上記本体部の中心部を通る縦断面における底面側の輪郭全体が、上記中心部に頂点を有する滑らかな放物線状を呈していることを特徴とする運動補助具。
【請求項８】
請求項１〜７のいずれか１項に記載の運動補助具において、上記本体部は、上記座面を備えた上部部品と、上記底面を備えた下部部品とからなり、上記上部部品と上記下部部品とが着脱可能な状態で一体的に固定されていることを特徴とする運動補助具。
【請求項９】
請求項１〜８のいずれか１項に記載の運動補助具において、該運動補助具全体の比重が１以下であることを特徴とする運動補助具。
【請求項１０】
請求項１〜９のいずれか１項に記載の運動補助具において、上記本体部内には、上記運動補助具全体の比重を調整するためのフロート部が内蔵されていることを特徴とする運動補助具。
【請求項１１】
請求項１〜１０のいずれか１項に記載の運動補助具において、上記本体部は、上記滑り止め部を上記床面に接触させた状態で、全方向において１５°以上に傾動可能に構成されていることを特徴とする運動補助具。
【請求項１２】
請求項１〜１１のいずれか１項に記載の運動補助具において、上記座面の高さは８８ｍｍ〜１３０ｍｍであることを特徴とする運動補助具。
【請求項１３】
請求項１〜１２のいずれか１項に記載の運動補助具において、上記底面の曲率半径は５０ｍｍ〜２００ｍｍであることを特徴とする運動補助具。
【発明の詳細な説明】
【技術分野】
【０００１】
本発明は、水中に沈めた状態で使用可能な運動補助具に関する。
【背景技術】
【０００２】
美容や健康維持等の目的で行う運動には種々のものがあり、運動の効果をより向上させるための補助具が、運動の種類に応じて種々提案されている。例えば、特許文献１には、水中において腰部や下半身のストレッチングを行うための運動補助具が提案されている。この運動補助具は、ベース部と、ベース部に対して回動可能に保持されたシートを備えている。
【先行技術文献】
【特許文献】
【０００３】
【特許文献１】特開２００６−２１８１７６号公報
【発明の概要】
【発明が解決しようとする課題】
【０００４】
しかしながら、特許文献１に記載の運動補助具は、シート部やベース部を互いに回動可能にするための複雑な構造を有している。そのため、凹凸の多い構造となっており、運動補助具に付着した水分のふき取りや清掃等に手間がかかり、使用者にとって不便なものとなっていた。それ故、よりシンプルな構造で、かつ、手入れが容易なものが望まれていた。
【０００５】
また、風呂や浴槽内等の水中での使用においても容易に扱うことができ、腰部の揺動運動をより効果的に行うことができる運動補助具の開発が望まれていた。
【０００６】
本発明は、上記の背景に鑑みてなされたもので、構造がシンプルで、腰部の運動効果を向上させることができ、水中において使用しやすい運動補助具を提供しようとするものである。
【課題を解決するための手段】
【０００７】
本発明の一態様は、水中に沈めた状態で使用可能な運動補助具であって、
使用者が着座する座面と、略球面状の底面とを備えた本体部を有し、
該本体部は、その内部に空洞を有するとともに該空洞を外部に連通させる複数の連通穴を有し、
上記座面またはその周囲には、使用者の臀部あるいは股部の形状の少なくとも一部に沿うように隆起させた隆起部が形成されており、
上記底面には、水中において接触する床面との間の滑りを抑制する滑り止め部が設けられており、
上記本体部は、上記滑り止め部を上記床面に接触させた状態で、全方向に傾動可能に構成されていることを特徴とする運動補助具にある（請求項１）。
【発明の効果】
【０００８】
上記運動補助具は、略球面状の上記底面を備えている。そのため、その使用者が着座した状態で床面に着けた足を基点として腰部を動かすことにより、上記底面を床面に接触させたまま上記座面を全方向に傾斜させることができる。また、上記底面には上記滑り止め部が設けられている。そのため、上記運動補助具は、上記運動補助具と床面とが滑ることなく水中において傾動動作をさせることができる。これらの作用効果により、上記運動補助具は、水中において確実に傾動動作をさせることができるものとなる。
【０００９】
また、上記本体部は、上記滑り止め部を上記床面に接触させた状態で、全方向に傾動可能に構成されている。そのため、使用者は、上記座面を全方向に傾斜させることができ、上記座面の傾動動作により腰部周辺の筋肉をバランスよく鍛えることができる。その結果、上記運動補助具は、運動の効果をより向上させることができるものとなる。
【００１０】
また、上記座面またはその周囲には、上記隆起部が形成されている。そのため、使用者は、腰部の運動を行う際に、上記隆起部により上記座面からの骨盤部のずれを形状的に規制されやすくなる。その結果、上記運動補助具を傾動動作させる際に、水中においても使用者の臀部が上記座面からずれにくくなり、腰部の運動中に骨盤部と腰部との角度を十分大きくすることができる。その結果、上記運動補助具は、運動の効果をより向上させることができるものとなる。
【００１１】
このように、上記運動補助具は、上記底面の形状や上記滑り止め部、上記座面の傾斜方向及び傾斜角度、上記隆起部の各々の作用効果またはこれらの相乗効果により、水中において使用でき、腰部の運動効果をより向上させることができるものとなる。
【００１２】
また、上記本体部の内部が空洞となっているとともに、上記本体部は上記連通穴を有している。そのため、上記本体部からの水抜きを容易に行うことができる。その結果、上記運動補助具は、使用後の清掃等を容易に行うことができ、使用者にとって使用しやすいものとなる。
【００１３】
また、上記座面と上記底面とが上記本体部に設けられている。そのため、上記運動補助具は、上記座面を傾動動作させるための可動部分を設ける必要がなくなる。その結果、上記運動補助具は、シンプルな構造を有するものとなる。
【００１４】
以上のように、上記態様によれば、構造がシンプルで、腰部の運動効果を向上させることができ、水中において使用しやすい運動補助具を提供することができる。
【図面の簡単な説明】
【００１５】
【図１】実施例１における、運動補助具を傾動させた状態を示す説明図。
【図２】実施例１における、運動補助具の斜視図。
【図３】実施例１における、運度補助具の前面図。
【図４】実施例１における、運動補助具の座面図。
【図５】実施例１における、運動補助具の底面図。
【図６】図４のVI−VI線矢視断面図。
【図７】図４のVII−VII線矢視断面図。
【図８】図５のVIII−VIII線矢視断面図。
【図９】実施例１における、滑り止め部材の側面図。
【図１０】実施例１における、滑り止め部材の底面図。
【図１１】実施例２における、底面側にシボ加工を施した滑り止め部材の底面図。
【図１２】図１１のXII−XII線矢視断面図。
【図１３】実施例２における、円柱状の凸部を水玉模様に配置した滑り止め部材の底面図。
【図１４】実施例２における、楕円柱状の凸部を多数配置した滑り止め部材の底面図。
【図１５】実施例３における、四角錐状の凹部を格子状に配置した滑り止め部材の底面図。
【図１６】実施例３における、環状の凹部を同心円状に配置した滑り止め部材の底面図。
【発明を実施するための形態】
【００１６】
上記運動補助具において、上記本体部は、使用者が上記座面に着座した際に、上記底面が実質的に変形しない材質により形成されることが必要である。これにより、底面部の形状を利用した傾動動作をスムーズに行うことができる。上記本体部の材質としては、例えば、ＡＢＳ樹脂等の種々の硬質プラスチック材料を採用することが可能である。
【００１７】
また、上記底面の形状を指す略球面状とは、幾何学上定義される完全な球面に限らず、一般的な感覚として球面状と認識される形状を含む概念である。つまり上記底面は、上述の全方向への傾動動作をスムーズに行うことが可能な程度であれば、曲率が異なる部位を有していてもよい。例えば、上記底面は、その曲率半径を一様とせず、端縁方向に行くとともに曲率半径を小さくすることや、端縁方向に行くとともに曲率半径を大きくすること、あるいは中心軸に対して回転対称とせず、互いに直交する方向の曲率半径を異なる値とすることなども可能である。
【００１８】
また、上記隆起部は、上述のように、上記座面からの骨盤部のずれを形状的に規制可能であれば、形状や位置、個数等を限定することなく、種々の態様を採用することが可能である。
【００１９】
例えば、上記隆起部の一態様として、少なくとも上記座面の前方中央部に、その周囲よりも隆起した前方隆起部が設けられていてもよい（請求項２）。この場合には、上記運動補助具を傾動動作させる際、上記前方隆起部が使用者の股部と当接することにより、上記座面からの骨盤部のずれが規制される。そのため、上記運動補助具は、運動の効果をより向上させることができる。
【００２０】
また、上記隆起部の他の態様として、少なくとも上記座面の両側縁部に、その内側よりも隆起した側方隆起部が設けられていてもよい（請求項３）。この場合には、上記運動補助具を傾動動作させる際、一対の上記側方隆起部がそれぞれ使用者の骨盤部の側方に当接することにより、上記座面からの骨盤部のずれが規制される。そのため、上記運動補助具は、運動の効果をより向上させることができる。
【００２１】
また、上記連通穴は、少なくとも上記滑り止め部またはその近傍に設けられていることが好ましい（請求項４）。この場合には、上記運動補助具の傾動動作に伴って、上記滑り止め部と床面との接触位置が変化した場合において、上記滑り止め部と床面との間に存在する水が上記連通穴に流通しやすくなり、水の流動経路を確保させやすくなる。そのため、上記運動補助具は、傾動動作時に該運動補助具にかかる水の抵抗を低減しやすいものとなる。また、この場合には、上記滑り止め部と床面との間に存在する水の量を低減させやすくなるため、水に起因する上記滑り止め部と床面との滑りをより確実に防止することができる。
【００２２】
また、この場合には、例えば上記運動補助具の使用後に、上記滑り止め部を下方に向けて床面に載置することにより、上記空洞内の水分を上記連通穴から速やかに排出することが可能となる。その結果、上記運動補助具は、使用者にとってより使用しやすいものとなる。
【００２３】
また、上記滑り止め部は、上記底面に配設された滑り止め部材を備えており、該滑り止め部材は、表面から突出した多数の凸部を有していてもよい（請求項５）。すなわち、上記滑り止め部は、上記本体部に一体的に形成してもよいが、上述のように上記本体部とは別体に形成した上記滑り止め部材を上記底面に配設する構成をとることもできる。
【００２４】
また、上記滑り止め部材に上記凸部を配設することにより、上記運動補助具を使用する際に上記凸部と床面とが当接し、上記凸部の隙間に水が流通可能となる。そのため、腰部の運動に伴って上記滑り止め部材が移動する際に、上記凸部と床面との間の水が上記凸部の隙間へ逃げることにより、上記滑り止め部材は、上記凸部と床面とを確実に当接させ、より確実に床面との滑りを防止することができる。その結果、上記運動補助具は、腰部の運動効果をより向上させるとともに、使用しやすいものとなる。
【００２５】
また、上記滑り止め部材は、エラストマーによって形成されていてもよい（請求項６）。この場合には、上記滑り止め部材と床面との摩擦力がより大きくなり、上述と同様に、より確実に床面との滑りを抑制することができる。その結果、上記運動補助具は、腰部の運動効果をより向上させるとともに、使用しやすいものとなる。上記エラストマーとしては、例えば熱可塑性エラストマーやシリコーンゴム等の、摩擦係数が大きく、耐水性があり、また、耐摩耗性に優れた材料であれば公知の材料を好適に用いることができる。
【００２６】
また、上記本体部の形状は、上記座面の傾動動作の妨げにならないものであればよく、例えば、上記底面と連続した滑らかな曲面により全体を略半球状とした形状や、直方体の一面を略球面状に形成して上記底面とした形状等、種々の形状が考えられる。
【００２７】
これらの中でも、上記本体部の中心部を通る縦断面における底面側の輪郭全体が、上記中心部に頂点を有する滑らかな放物線状を呈していることが好ましい（請求項７）。つまり、上記本体部の底面側に、周囲よりも外方に突出した部分を有さないことが好ましい。この場合には、上記座面の傾動動作を行う際に上記本体部が床面と接触するおそれがなくなるため、上記座面の傾動動作をよりスムーズに行うことが可能となる。その結果、上記運動補助具は、腰部の運動をより効果的に行うことができるものとなる。
【００２８】
また、上記本体部は、上記座面を備えた上部部品と、上記底面を備えた下部部品とからなり、上記上部部品と上記下部部品とが着脱可能な状態で一体的に固定されていてもよい（請求項８）。この場合には、上記上部部品と上記下部部品とを取り外すことにより、上記本体部の内部の水分を容易に拭き取ることができる。その結果、上記運動補助具は、使用後の清掃等を容易に行うことができ、使用者にとって使用しやすいものとなる。
【００２９】
また、上記運動補助具全体の比重が１以下であることが好ましい（請求項９）。この場合には、上記運動補助具は、使用者が着座していない状態で自然に浮上する。これにより、着座していない状態の上記運動補助具を使用者が足で踏む等のおそれがなくなるため、上記運動補助具はより使用しやすいものとなる。また、上記運動補助具全体の比重は、０．８６〜０．９６であることがより好ましい。
【００３０】
また、上記本体部内には、上記運動補助具全体の比重を調整するためのフロート部が内蔵されていてもよい（請求項１０）。この場合には、上記運動補助具は、浮力の調整を容易に行うことができるものとなる。上記フロート部は、例えば、硬質プラスチックを中空に成型したものや、発泡性ウレタン等、種々の浮力を発生可能な材質を採用することができる。
【００３１】
また、上記本体部は、上記滑り止め部を上記床面に接触させた状態で、全方向において１５°以上に傾動可能に構成されていることが好ましい（請求項１１）。この場合には、上記座面をどの方向に傾斜させても、骨盤部と腰部との間の角度を十分大きくすることができる。その結果、上記運動補助具は、運動の効果をより向上させることができるものとなる。
【００３２】
また、上記座面の高さは８８ｍｍ〜１３０ｍｍであることが好ましい（請求項１２）。上記座面の高さをこの特定の範囲内にすることによって、使用者の腰部が床面から適度に離れた状態を実現しやすくなる。これにより、上述したごとく、着座した使用者が足を床面に着けた状態で腰部を動かすことにより、座面を容易に傾斜させることが可能となる。そして、使用者の腰部の可動範囲も広くなり、比較的自由に回転運動等を行うことが可能となる。そのため、腰部の運動の効果を向上させることができる。
【００３３】
ここで、上記座面の高さは、例えば、床面との接触点の鉛直上方に上記座面の中央が配されるように上記底面を床面に接触させた状態における、上記座面の中央の高さを計測すること等により得ることができる。これは、使用者が座面に着座して背筋がまっすぐな自然状態とした際の、床面からの使用者の臀部の高さと実質的に同一である。
【００３４】
また、上記底面の曲率半径は５０ｍｍ〜２００ｍｍであることが好ましい（請求項１３）。上記底面の曲率半径が上記特定の範囲内にある場合には、使用者の腰部の可動範囲内における上記座面の傾きを、運動に好適な範囲に規制することができる。つまり、上記座面の傾きを、回転運動等の効果を高めるのに充分大きく、かつ、使用者がバランスをとりやすい範囲に規制することができる。
【００３５】
ここで、上記底面の曲率半径は、例えば、次のように仮想円の半径により表すことができる。まず、上記底面における床面との接触点に対して、接触点を通って鉛直方向に延びる基準軸を定める。そして、この基準軸を含む上記本体部の縦断面において、接触点からの鉛直方向の距離が等しくなる底面上の２点を定める。この２点と接触点との３点を通る仮想の円の半径を、底面の曲率半径とする。
【実施例】
【００３６】
（実施例１）
上記運動補助具の実施例について、図１〜図１０を用いて説明する。運動補助具１は、水中に沈めた状態で使用可能に構成されており、図２及び図３に示すように、使用者が着座する座面２と、略球面状の底面３とを備えた本体部１０を有している。
【００３７】
図６〜図８に示すように、本体部１０は、その内部に空洞１３を有するとともに空洞１３を外部に連通させる複数の連通穴１６を有している。また、図６及び図７に示すように、座面２またはその周囲には、使用者の臀部あるいは股部の形状の少なくとも一部に沿うように隆起させた隆起部が形成されている。また、図５に示すように、底面３には、水中において接触する床面との間の滑りを抑制する滑り止め部４が設けられている。そして、本体部１０は、図１に示すように、滑り止め部４を床面に接触させた状態で、全方向に傾動可能に構成されている。
【００３８】
なお、以下において、上下や前後等の方向の表記は、便宜的に、使用者が背筋をまっすぐにして座面２に着座した状態における運動補助具１の向きを用いて表記する。つまり、運動補助具１の座面２側を上方とし、底面３側を下方とする。また、後述する前方隆起部２０側を前方とし、その反対側を後方とする。
【００３９】
図３に示すように、運動補助具１の本体部１０は、座面２を備えた上部部品１１と、底面３を備えた下部部品１２とからなり、上部部品１１と下部部品１２とが着脱可能な状態で一体的に固定されている。図３、図６及び図７に示すように、下部部品１２は、前方や後方、あるいは側方から見た場合の輪郭が放物線状を呈し、その上方が開口されている。上部部品１１は、下部部品１２の開口面を覆うように装着されている。本例において、上部部品１１及び下部部品１２は、ともにＡＢＳ樹脂により形成されている。
【００４０】
上部部品１１は、図４に示すように、上方（座面２側）から見た場合の輪郭が円状を呈しており、その内部が座面２を構成している。また、座面２の周縁には、図４、図６及び図７に示すように、滑らかな曲面を形成しつつ周囲よりも隆起した隆起部としての前方隆起部２０、側方隆起部２１及び後方隆起部２２を有している。
【００４１】
すなわち、図４及び図７に示すように、座面２の前方中央部には、その周囲よりも隆起した前方隆起部２０が設けられている。また、座面２の後方中央部には、その周囲よりも隆起した後方隆起部２２が設けられている。また、図６に示すように、座面２の両側縁部には、その内側よりも隆起した一対の側方隆起部２１が設けられている。
【００４２】
また、座面２の中心部には、図４及び図６に示すように、周囲よりも陥没した左右一対の陥没部２３が形成されている。陥没部２３は、座面２に着座する使用者の坐骨に沿うように配設されている。
【００４３】
下部部品１２は、図５に示すように、下方（底面３側）から見た場合の輪郭が上部部品１１に倣った円状を呈している。また、下部部品１２は、図３、図６及び図７に示すように、前方や側方から見た場合の輪郭全体が放物線状を呈している。これにより、図６及び図７に示すように、運動補助具１の本体部１０の中心部を通る縦断面における底面３側の輪郭全体が、中心部に頂点を有する滑らかな放物線状を呈している。
【００４４】
また、滑り止め部４は、図３及び図５に示すように、底面３に着脱可能に装着された滑り止め部材４０を備えており、滑り止め部材４０は、図９及び図１０に示すように、表面から突出した多数の凸部４１を有している。滑り止め部材４０は、熱可塑性エラストマーより形成されており、図９及び図１０に示すように、底面３を覆う円形領域４２と、円形領域４２から前後左右の４方向に延伸された係合領域４３とを有している。また、各々の係合領域４３の先端部には、図９に示すように、係合領域４３の厚み方向に突出した係合爪４３０が形成されている。そして、滑り止め部材４０は、図６及び図７に示すように、係合爪４３０を下部部品１２に貫通形成された係合穴１２０に挿入することにより、底面３の頂点部分近傍を覆うように装着される。
【００４５】
また、図４に示すように、上部部品１１における後方隆起部２２の近傍には、滑り止め部材４０と同材質のエラストマーよりなる後方滑り止め部材１７が配設されている。後方滑り止め部材１７は後述する連通穴１６ａの周縁に着脱可能に装着されており、運動補助具１の上部部品１１や下部部品１２を壁に向けて立てかけて載置する場合に床面と接触する脚部として機能する。
【００４６】
また、本体部１０には、内部の空洞１３と外部空間とを連通する連通穴１６（１６ａ〜１６ｄ）が複数形成されている。本例では、図５及び図７に示すように、上部部品１１に配された後方滑り止め部材１７に、左右方向に伸びた長穴状の連通穴１６ａが形成されている。また、図６に示すように、上部部品１１の側方には、上部部品１１の端縁を上方に向けて陥没させてなる一対の連通穴１６ｂが形成されている。
【００４７】
また、下部部品１２には、滑り止め部４及びその近傍に、複数の連通穴１６ｃ、１６ｄが形成されている。すなわち、滑り止め部４には、底面３の中央の１箇所とその周囲の８箇所との計９箇所（図５、図１０参照）に、図６及び図７に示すように下部部品１２と滑り止め部材４０とを貫通する丸穴状の連通穴１６ｃが形成されている。また、下部部品１２における滑り止め部材４０の隣り合う係合領域４３の間となる位置に、図５及び図８に示すように、略四角形状の連通穴１６ｄが４箇所形成されている。また、上部部品１１と下部部品１２との合せ面１４は、水や空気が流通可能に構成されており、空洞１３と外部空間とを連通させる連通穴１６の機能を果たすことができる。
【００４８】
また、本例の運動補助具１は、図６に示す座面の高さＨが９７．６ｍｍである。本例における座面の高さＨは、床面との接触点の鉛直上方に座面２の中心点が配されるように底面３を床面に接触させた状態における、座面２の中心点の高さを計測した値である。これは、使用者が座面２に着座して背筋がまっすぐな自然状態とした際の、床面からの使用者の臀部の高さと実質的に同一である。
【００４９】
また、本例の運動補助具１は、底面３上の種々の点において測定した曲率半径Ｒが１０４ｍｍである。本例における底面３の曲率半径Ｒは、座面２が上方を向いた状態及び側方に１４°傾いた状態の２つの状態について、それぞれ次のように設定した仮想円の半径の値である。まず、底面３における床面との接触点に対して、接触点を通って鉛直方向に延びる基準軸を定める。そして、この基準軸を含む本体部１０の縦断面において、接触点からの鉛直方向の距離が１２．３４ｍｍである底面３上の２点を定める。この２点と接触点との３点を通る仮想の円の半径を、底面３の曲率半径Ｒとした。
【００５０】
また、図６〜図８に示すように、本体部１０内の空洞１３には、運動補助具１全体の比重を調整するためのフロート部１５が内蔵されている。フロート部１５はＡＢＳ樹脂により形成された中空の円板状部品であり、上部部品１１の略中央部に着脱可能に装着されている。これにより、運動補助具１全体の比重が０．９１に調整されている。
【００５１】
また、本例の運動補助具１は、自然載置状態において座面２が上方を向くように重心位置が設定されている。
【００５２】
次に、運動補助具１の使用方法の一例を説明する。運動補助具１に傾動動作をさせる際、使用者は、例えば浴槽や風呂等の水中に運動補助具１を沈めた状態において、座面２に背筋をまっすぐにした状態で着座する。その後、上体の位置を維持しつつ腰部を揺動あるいは回転させることにより、図１に示すように、滑り止め部４を床面に接触させた状態で座面２の傾動動作をおこなうことができる。つまり、滑り止め部４を床面に接触させた状態で、座面２を鉛直方向に対して全方向に１５°以上傾斜させるとともに、座面２を水平方向に移動させることができる。これにより、腰部周辺の筋肉に回転運動や捻り運動等の運動をさせることができる。
【００５３】
運動補助具１を使用した後、運動補助具１を水中から引き上げることにより、本体部１０内に浸入していた水が連通穴１６や合せ面１４を通じて本体部１０の外部へ排出される。その後、上部部品１１または下部部品１２のいずれか一方を固定しつつ、他方を合せ面１４の周方向に回動させることにより、図３に示すように、上部部品１１を下部部品１２から取り外すことができる。これにより、本体部１０の内部に残った水滴を拭き取ることが可能となる。なお、上部部品１１を下部部品１２に装着する場合には、両者を当接させた後、取り外しの場合と逆方向に回動させればよい。
【００５４】
次に、本例の作用効果を説明する。運動補助具１は、図３に示すように、略球面状の底面３を備えている。そのため、その使用者が着座した状態で床面に着けた足を基点として腰部を動かすことにより、図１に示すように、底面３を床面に接触させたまま座面２を全方向に傾斜させることができる。また、底面３には滑り止め部４が設けられている。そのため、運動補助具１は、運動補助具１と床面とが滑ることなく水中において傾動動作をさせることができる。これらの作用効果により、運動補助具１は、水中において確実に傾動動作をさせることができるものとなる。
【００５５】
また、本体部１０は、滑り止め部４を床面に接触させた状態で、全方向に傾動可能に構成されている。そのため、使用者は、座面２を全方向に傾斜させることができ、座面２の傾動動作により腰部周辺の筋肉をバランスよく鍛えることができる。その結果、運動補助具１は、運動の効果をより向上させることができるものとなる。
【００５６】
また、図６及び図７に示すように、座面２またはその周囲には、隆起部としての前方隆起部２０、側方隆起部２１及び後方隆起部２２が形成されている。
【００５７】
前方隆起部２０は、座面２の前方中央部に設けられており、使用者の股部と当接することにより、座面２からの骨盤部のずれが規制される。側方隆起部２１は、座面２の両側縁部に設けられており、一対の側方隆起部２１がそれぞれ使用者の骨盤部の側方に当接することにより、座面２からの骨盤部のずれが規制される。また、本例においては、隆起部のさらに他の態様として、座面２の後方中央部に、その周囲よりも隆起した後方隆起部２２が設けられている。
【００５８】
そのため、使用者は、腰部の運動を行う際に、これらの隆起部により座面２からの骨盤部のずれを形状的に規制されやすくなる。その結果、運動補助具１を傾動動作させる際に、水中においても使用者の臀部が座面２からずれにくくなり、腰部の運動中に骨盤部と腰部との角度を十分大きくすることができる。その結果、運動補助具１は、運動の効果をより向上させることができるものとなる。
【００５９】
このように、運動補助具１は、底面３の形状や滑り止め部４、座面２の傾斜方向及び傾斜角度、隆起部の各々の作用効果またはこれらの相乗効果により、水中において使用でき、腰部の運動効果をより向上させることができるものとなる。
【００６０】
また、図８に示すように、本体部１０の内部が空洞１３となっているとともに、本体部１０は連通穴１６を有している。そのため、本体部１０からの水抜きを容易に行うことができる。その結果、運動補助具１は、使用後の清掃等を容易に行うことができ、使用者にとって使用しやすいものとなる。
【００６１】
また、上部部品１１と下部部品１２とが着脱可能な状態で一体的に固定されている。そのため、運動補助具１は、座面２を傾動動作させるための可動部分を設ける必要がなくなる。その結果、運動補助具１は、シンプルな構造を有するものとなる。
【００６２】
また、図５に示すように、連通穴１６は、滑り止め部４またはその近傍に設けられている。そのため、運動補助具１の傾動動作に伴って、滑り止め部４と床面との接触位置が変化した場合において、滑り止め部４と床面との間に存在する水が連通穴１６に流通しやすくなり、水の流動経路を確保させやすくなる。その結果、運動補助具１は、傾動動作時に運動補助具１にかかる水の抵抗を低減しやすいものとなる。また、この場合には、滑り止め部４と床面との間に存在する水の量を低減させやすくなるため、水に起因する滑り止め部４と床面との滑りをより確実に防止することができる。
【００６３】
また、連通穴１６が滑り止め部４またはその近傍に設けられているため、例えば運動補助具１の使用後に、滑り止め部４を下方に向けて床面に載置することにより、空洞１３内の水分を連通穴１６から速やかに排出することが可能となる。その結果、運動補助具１は、使用者にとってより使用しやすいものとなる。
【００６４】
また、滑り止め部４は、図３に示すように、底面３に配設された滑り止め部材４０を備えており、図９に示すように、滑り止め部材４０は、表面から突出した多数の凸部４１を有している。そのため、運動補助具１を使用する際に凸部４１と床面とが当接し、凸部４１の隙間に水が流通可能となる。これにより、腰部の運動に伴って滑り止め部材４０が移動する際に、凸部４１と床面との間の水が凸部４１の隙間へ逃げることにより、滑り止め部材４０は、凸部４１と床面とを確実に当接させ、より確実に床面との滑りを防止することができる。その結果、運動補助具１は、腰部の運動効果をより向上させるとともに、使用しやすいものとなる。
【００６５】
また、滑り止め部材４０は、エラストマーによって形成されている。そのため、滑り止め部材４０と床面との摩擦力がより大きくなり、上述と同様に、より確実に床面との滑りを抑制することができる。その結果、運動補助具１は、腰部の運動効果をより向上させるとともに、使用しやすいものとなる。
【００６６】
また、図６及び図７に示すように、本体部１０の中心部を通る縦断面における底面３側の輪郭全体が、中心部に頂点を有する滑らかな放物線状を呈している。そのため、座面２の傾動動作を行う際に本体部１０が床面と接触するおそれがなくなるため、座面２の傾動動作をよりスムーズに行うことが可能となる。その結果、運動補助具１は、腰部の運動をより効果的に行うことができるものとなる。
【００６７】
また、本体部１０は、座面２を備えた上部部品１１と、底面３を備えた下部部品１２とからなり、上部部品１１と下部部品１２とが着脱可能な状態で一体的に固定されている。そのため、上部部品１１と下部部品１２とを取り外すことにより、本体部１０の内部の水分を容易に拭き取ることができる。その結果、運動補助具１は、使用後の清掃等を容易に行うことができ、使用者にとって使用しやすいものとなる。
【００６８】
また、運動補助具１全体の比重が１以下である。そのため、運動補助具１は、使用者が着座していない状態で自然に浮上する。すなわち、運動補助具１は、使用者が着座していない状態においては、水中に沈めても自然に浮上するよう構成されている。その結果、着座していない状態の運動補助具１を使用者が足で踏む等のおそれがなくなるため、運動補助具１を足で踏む等のおそれがなくなるため、運動補助具１はより使用しやすいものとなる。
【００６９】
また、図６〜図８に示すように、本体部１０内には、運動補助具１全体の比重を調整するためのフロート部１５が内蔵されている。そのため、運動補助具１は、浮力の調整を容易に行うことができるものとなる。
【００７０】
また、本体部１０は、滑り止め部４を床面に接触させた状態で、全方向において１５°以上に傾動可能に構成されている。そのため、座面２をどの方向に傾斜させても、骨盤部と腰部との間の角度を十分大きくすることができる。その結果、運動補助具１は、運動の効果をより向上させることができるものとなる。
【００７１】
また、座面の高さＨは８８ｍｍ〜１３０ｍｍの範囲内である。そのため、運動補助具１は、使用者の腰部が床面から適度に離れた状態を実現しやすくなる。これにより、上述したごとく、着座した使用者が足を床面に着けた状態で腰部を動かすことにより、座面２を容易に傾斜させることが可能となる。そして、使用者の腰部の可動範囲も広くなり、比較的自由に回転運動等を行うことが可能となる。その結果、腰部の運動の効果を向上させることができる。
【００７２】
また、底面３の曲率半径Ｒは５０ｍｍ〜２００ｍｍの範囲内である。そのため、運動補助具１は、使用者の腰部の可動範囲内における座面２の傾きを、運動に好適な範囲に規制することができる。つまり、座面２の傾きを、回転運動等の効果を高めるのに充分大きく、かつ、使用者がバランスをとりやすい範囲に規制することができる。
【００７３】
また、本例においては、図４及び図６に示すように、座面２の中心部には、使用者の坐骨に沿うように配設された左右一対の陥没部２３が形成されている。そのため、使用者は、臀部を陥没部２３の形状に合わせて座面２へ着座することにより、背筋がまっすぐな自然状態を実現しやすくなる。その結果、運動補助具１を傾動動作させる際に、腰部の運動中に骨盤部と腰部との角度を十分大きくすることができ、腰部の運動効果をより向上させることができる。
【００７４】
以上のように、運動補助具１は、構造がシンプルで、腰部の運動効果を向上させることができ、水中において使用しやすいものとなる。
【００７５】
なお、本例においては、本体部１０が上部部品１１と下部部品１２とが着脱可能に装着されている構成を説明したが、これ以外の構成も可能である。すなわち、本体部１０が複数の部品に分割されておらず、一体に形成されている構成をとることも可能である。
【００７６】
また、本例においては底面３の曲率半径Ｒが底面３上の種々の点でほぼ一定の値となる例を示したが、底面３上の曲率半径Ｒが測定箇所により変化する場合であっても、各測定箇所における曲率半径Ｒの値が上記特定の範囲内であれば、座面２の傾きを回転運動等の効果を高めるのに充分大きく、かつ、使用者がバランスをとりやすい範囲に規制することができる。
【００７７】
（実施例２）
本例は、実施例１における滑り止め部材４０の下方側（床面側）の表面形状を種々の形状に変更した例である。図１１及び図１２には、凸部４１に替えて、シボ加工を施したシボ面４１０を形成した滑り止め部材４０２を示す。シボ面４１０は、シボ加工により形成された細かい凹凸形状を有している。
【００７８】
また、図１２に示すように、滑り止め部材４０２の中央部には、中央係合爪４３１が上方に向けて立設されている。図には示さないが、本例の本体部１０は底面３の中央に係合穴が形成されており、中央係合爪４３１は、当該係合穴に挿入配置されている。また、本例の本体部１０における底面３の中央近傍は、その周辺部、つまり連通穴１６ｃ（図１２参照）が設けられた領域よりも内方に隆起している。これにより、運動補助具１からの水抜きの際、底面３を床面に載置することにより、内部に溜まった水が連通穴１６ｃから排出される。
【００７９】
図１３は、円柱状の凸部４１を水玉模様状に多数配置した滑り止め部材４０３の例である。図１４は、楕円柱状の凸部４１を多数配置した滑り止め部材４０４の例である。その他は実施例１と同様である。なお、図１１〜１４において用いた符号のうち、実施例１において用いた符号と同一のものについては、特に示さない限り実施例１と同様の構成要素等を表すものとする。
【００８０】
このように、滑り止め部材の凸部４１には、種々の形状を採用することができ、いずれの形状を採用しても床面との滑りをより確実に防止する作用効果を発揮することができる。
【００８１】
（実施例３）
本例は、実施例１における滑り止め部材４０の凸部４１に替えて、周囲よりも陥没した凹部４１１を形成した滑り止め部材の例である。図１５は、滑り止め部材の外表面を四角錐状に陥没させてなる凹部４１１を、格子状に多数配列した滑り止め部材４０５の例である。また、図１６は、環状に形成した溝よりなる凹部４１１を、同心円状に複数配列した滑り止め部材４０６の例である。その他は実施例１と同様である。なお、図１５〜図１６において用いた符号のうち、実施例１において用いた符号と同一のものについては、特に示さない限り実施例１と同様の構成要素等を表すものとする。
【００８２】
このように、凸部４１に替えて凹部４１１を形成した滑り止め部材であっても、床面との滑りをより確実に防止する作用効果を発揮することができる。
【符号の説明】
【００８３】
１  運動補助具
１０  本体部
１１  上部部品
１２  下部部品
１３  空洞
１６  連通穴
２  座面
２０  前方隆起部
２１  側方隆起部
２２  後方隆起部
３  底面
４  滑り止め部
【図１】
2014124445.tif 000003
【図２】
2014124445.tif 000004
【図３】
2014124445.tif 000005
【図４】
2014124445.tif 000006
【図５】
2014124445.tif 000007
【図６】
2014124445.tif 000008
【図７】
2014124445.tif 000009
【図８】
2014124445.tif 000010
【図９】
2014124445.tif 000011
【図１０】
2014124445.tif 000012
【図１１】
2014124445.tif 000013
【図１２】
2014124445.tif 000014
【図１３】
2014124445.tif 000015
【図１４】
2014124445.tif 000016
【図１５】
2014124445.tif 000017
【図１６】
2014124445.tif 000018